(57)【特許請求の範囲】
【請求項１】
眼鏡に形成した取付孔からなる取付部と、前記取付孔に挿入する弾性体よりなる管状の係止部材と、前記係止部材の管孔に挿入する眼鏡付属物の背面に突出した係止ピンとからなる眼鏡付属物の取付構造であって、 前記眼鏡における取付部が、屈曲可能な取付帯を基端に延設され、レンズフレームに前記取付帯を捲着してレンズを嵌入することによりレンズフレームの外周上に付設されていることを特徴とする眼鏡付属物の取付構造。
【請求項２】
前記係止部材が、基端部にフランジを有し全体として砲弾状である請求項１記載の眼鏡付属物の取付構造。
【請求項３】
前記係止部材が、先端部に連続して前記眼鏡における取付孔より小径の差込み用案内部材を一体に突設した請求項１または２記載の眼鏡付属物の取付構造。
【請求項４】
前記眼鏡付属物が、カバーサングラスまたは偏光グラスである請求項１，２または３記載の眼鏡付属物の取付構造。
【請求項５】
前記眼鏡付属物に磁石が設けられている請求項１，２，３または４記載の眼鏡付属物の取付構造。
【請求項６】
前記眼鏡付属物が、香料のカプセルを保持する凹部構造或いはポケットを装飾体の背面に設け、眼鏡の外面との間にカプセルを保持する構造を有している請求項１，２，３，４または５記載の眼鏡付属物の取付構造。
【請求項７】
前記眼鏡付属物が、電磁波防止効果のあるトルマリン粉末や銅合金等を合成樹脂等に含有させて成型或いはコーティングされている請求項１，２，３，４，５または６記載の眼鏡付属物の取付構造。
【発明の詳細な説明】
【０００１】
【発明の属する技術分野】
本発明は、例えばアクセサリー等の眼鏡付属物を眼鏡に装着するための眼鏡及び眼鏡付属物における取付構造に関するものである。
【０００２】
【従来の技術】
眼鏡は、視力矯正などの目的で用いられてきたが、顔の前面に装着することからファッション的要素も重視され、古くから装飾の施された眼鏡が提供されている。また、サングラスが太陽光線から眼球を保護する目的とともに装飾目的としても、通常の眼鏡とは別に使用されている。また、釣りの場合には水面における反射光を調節して水中の様子を確認するために、偏光グラスが使用されている。更に、眼鏡使用者の鼻の高さが夫々異なることから、眼鏡フレームとは別に高さ調整可能な鼻当てを付設した眼鏡が提供されている。
【０００３】
ところが、従来の眼鏡における前記付属物は眼鏡フレームやレンズと一体的に形成されたものが殆どであり、使用目的にあわせて装飾を変えたい場合には一つの眼鏡では対応できなかった。また、太陽光線の眩しい場合には通常の眼鏡に代えてサングラスの使用を必要とする場合もあった。そのため、使用目的毎に多数の眼鏡を揃えておかなければならず、経済的負担が大きいとともに保管、携帯などにも不便であった。また、眼鏡は使用者の鼻の高さに合わせたものが必要であり、目的に合致した眼鏡を使用する際、自己の鼻の高さに合わせて眼鏡を調整するのは容易ではなかった。
【０００４】
そのため、一つの眼鏡に後から取付けられるアクセサリ等の眼鏡付属物が特開平８−２６２３７８号公報、特開平９−４３５５３号公報、特開平９−１７９０７７号公報、特開平１０−１４２５６３号公報、特開２００１−２４２４２６号公報等に提示されている。また、通常使用している眼鏡の正面に係止具で装着するカバーサングラスや偏光グラスも提供され、視力矯正効果を保持しながら各々の使用目的を達成している。
【０００５】
しかしながら、特開平８−２６２３７８号公報に提示されている眼鏡付属物はフレームにあらかじめネジを設けて取り付けるものであり、着脱に工具を必要としたり、不使用時にネジが露出するため美麗でないなどの欠点があった。また、特開平９−４３５５３号公報に提示されている眼鏡付属物はフレームにあらかじめ付属物係止用切り欠き部を設けるものであるが、加工が容易ではないため多種類の眼鏡にかかる係止構造を設けるのは困難であり、しかも着脱に手間がかかるなどの欠点があった。
【０００６】
そこで、眼鏡にあらかじめ係止構造を必要としない眼鏡付属物が、特開平９−１７９０７７号公報および特開２００１−２４２４２６号公報に提示されている。これらの眼鏡付属物は、鈎状の係止構造により眼鏡フレームに装着するものであるが、眼鏡フレームが太い場合には装着できなかったり、フレームが細い場合にはフレーム上で十分に固定できない等の欠点があった。また、これらの眼鏡付属物はテンプル（つるの部分）に装着するものであって、眼鏡前面におけるレンズやレンズフレームには装着できないため、ファッションにおいて重要な顔の正面における装飾効果は期待できなかった。
【０００７】
これに対し、眼鏡側には取付孔を設けるだけで多種類の眼鏡に手軽に装着出来るピアスタイプの眼鏡付属物が、特開平１０−１４２５６３号公報に提示されている。この眼鏡付属物は、眼鏡側には貫通孔を設けるのみでよいため、眼鏡に後からドリル等で孔を設ければ容易に多種類の眼鏡に装着でき、しかもフレームのみではなくレンズにも装着できるものである。
【０００８】
しかしながら、この眼鏡付属物はピアスと同様に眼鏡内側に突出したピンに係止部材を固定するか、イヤリングのように係止部材を眼鏡内側から係止孔に掛止して固定する構造であるため、眼鏡内側に突出部分が生じて美麗でないばかりか、使用者の皮膚を傷つけるおそれもあった。また、取付孔に直接ピンを固定するため眼鏡付属物がガタついたり、取付孔部分から眼鏡が破損する危険もあった。そして、装着においては微小な係止部材を眼鏡の内側からピンに係止等する等、かかる作業は容易ではなかった。
【０００９】
一方、従来の後から眼鏡に装着するカバーサングラスや偏光グラスは、係止具が表面に露出するためファッション性に欠け、係止具自体が重いとともに突出部を有するため使用者にとって危険でもあった。
【００１０】
【発明が解決しようとする課題】
本発明は、従来の眼鏡付属物が有する前記問題点を解決しようとするものであり、眼鏡には複雑な加工を必要とせず、多種類の眼鏡において好みの位置に目的の眼鏡付属物を容易に装着可能とし、装着した眼鏡付属物及び係止部材を容易に眼鏡から取り外すことを可能とすることである。
【００１１】
また、付属物を装着した眼鏡の美観を損なわないと同時に使用者が安全に使用できるようにして、しかも取付部における眼鏡及びその付属物の破損を防ぎ、更には、眼鏡付属物の眼鏡への取付が困難なフレームの細い眼鏡の場合にも、取付可能とすることにある。
【００１２】
更に、カバーサングラス等の大きな眼鏡付属物や、鼻当てパッド等の眼鏡調整用付属物を堅固に眼鏡に装着して、各々の使用目的を達成できるようにすることである。
【００１３】
【課題を解決するための手段】
本発明である眼鏡付属物の取付構造は、眼鏡に形成した取付孔からなる取付部と、前記取付孔に挿入する弾性体よりなる管状の係止部材と、前記係止部材の管孔に挿入する眼鏡付属物の背面に突出した係止ピンとからなる眼鏡付属物の取付構造であって、 前記眼鏡における取付部が、屈曲可能な取付帯を基端に延設され、レンズフレームに前記取付帯を捲着してレンズを嵌入することによりレンズフレームの外周上に付設されていることを特徴とし、前記係止ピンを前記係止部材を介して眼鏡の前記取付孔に挿入すれば、前記係止部材の有する弾性により、前記眼鏡用付属物は眼鏡に堅固に固定される。
【００１４】
また、前記係止部材を基端部にフランジを設けるとともに全体として砲弾状の構造にすることで、前記係止部材は前記取付孔に容易に挿入されるとともにその開口部に前記フランジが掛かって停止する。また前記フランジを把持して引けば容易に前記係止孔から前記係止部材は取り外される。さらに前記係止部材の先端部に連続して前記取付孔より小径の差込み用案内部材を一体に突設する構造にすれば、前記係止部材は前記取付孔に一層容易に挿入される。
【００１５】
また、取付部を眼鏡に設ける場合、取付孔を有する取付部材をフレームに付設した構造にすることで、フレームの細い眼鏡にも取付部を設けることができる。かかる場合、前記取付部材の基端に屈曲可能な取付帯を延接した構造にすれば、前記取付帯をレンズフレームに捲着した後にレンズを嵌入することにより取付帯が挟持され、前記取付部をレンズフレームの外周上に堅固に付設することができる。
【００１６】
そして、眼鏡付属物を眼鏡正面をカバーするカバーサングラスや偏光グラスとすれば、前記係止部材を介して係止することで眼鏡に堅固に装着され、サングラスや偏光グラスとしても使用することができる。
【００１７】
【発明の実施の形態】
本発明の実施の形態について図面に基づいて説明する。
【００１８】
図１乃至図４は本発明における第１の実施の形態を示すものであり、眼鏡１の左右レンズフレームの両外側端に各々設けられた取付孔２，２と、背面に前記取付孔２，２に各々対応する位置に２本の係止ピン４，４を設けた眼鏡付属物３Ａと、係止部材５，５とからなる眼鏡付属物の取付構造である。
【００１９】
眼鏡付属物３Aは、左右が繋がったまゆ毛を表現した装飾体を本体とし、眼鏡における左右のレンズフレーム１ｂの正面上部をカバーする形状を有している。なお、眼鏡付属物３Ａの素材は、成型のし易さ、軽さ、安全性の点から弾性を有する合成樹脂材が優れている。
【００２０】
係止部材５は、基端から先端に貫通した管孔５ｂを有して挿入部５aを形成し、基端部外周には取付孔２より大径のフランジ５ｄを設け全体として砲弾状に形成され、挿入部５aの外径は眼鏡の取付孔２とほぼ同径である。尚、係止部材５における取付孔２への挿入部５aの長さは取付孔２の孔長以下であることが、眼鏡内側に突出部を生じない点で好ましい。また、係止部材５は挿入のしやすさ、係止力の点から、ゴムまたはシリコン樹脂等の弾性体を素材とすることが推奨される。
【００２１】
係止ピン４は釘状の形状を有して先端は丸みを帯びており、胴部より大径の基部（図示せず）が眼鏡付属物３Ａの背面側に埋入固定され、その外部に露出している胴部は、外径が係止部材５の管孔５ｂより僅かに大径である。なお、係止ピン４の胴部の長さは管孔５ｂ及び取付孔２の孔長以下であることが係止ピン４の先端が眼鏡の内側に突出しない点で好ましい。
【００２２】
本実施の形態は、図３に示すように眼鏡付属物３Ａの背面に設けた左右の係止ピン４，４を係止部材５，５を介して左右の眼鏡フレーム１ｂ，１ｂに設けた取付孔２，２に各々挿入すれば、図２のように眼鏡付属物３Ａは離れた2個所の取付部により眼鏡１に堅固に装着される。かかる場合、係止部材５の先端が丸みを帯びているため、係止ピン４を係止部材５の管孔５ｂに挿入して係止部材５の先端を眼鏡１の左右の取付孔２に挿入するのは容易である。
【００２３】
また、係止部材５を管孔５ｂに挿入するとき、フランジ５ｄが基端に設けてあるので、挿入時において取付孔２の開口部にフランジ５ｄが掛かりその位置で停止するため、充分に差し込むことができ、フランジのない係止部材を挿入した場合のように係止部材が係止孔２に埋入されて取出し困難となることがない。また、フランジ５ｄが眼鏡１と眼鏡付属物３Ａとの間におけるクッションの役割も果たすため、眼鏡１および眼鏡用付属物３Ａが取付部において破損したり、眼鏡付属物３Ａがガタつくことを防ぐはたらきもある。
【００２４】
尚、太さの異なる係止ピンを有する眼鏡付属物を装着したい場合は、かかる係止ピンの外径と合致した内径の管孔を有する係止部材を用いることになるが、既に異なる管孔の係止部材５を施設してある場合には、フランジ５ｄを把持して引けば係止部材５を係止孔２から容易に取り外して他の係止部材に交換することもできる。
【００２５】
図５は、本実施の形態における異なる係止部材５を示すものであり、前記図４における係止部材５の先端に取付孔２より小さく先端に向かって収束する外径の差込み用案内部材５ｃを一体に突設した点が異なる。このような係止部材５は、差込み用案内部材５ｃの先端が細くなっているので取付孔２に差し込み易く、また、差し込んで眼鏡内側に突出した差込み用案内部材５ｃを把持してフランジ５ｄが取付孔２の開口部に掛かるまで引くことによりきわめて容易に挿入部５aを取付孔2内に没入させることができる。
【００２６】
尚、本実施の形態では係止部材５の挿入部５aの長さと取付孔２を形成するレンズフレーム１ｂの厚さとがほぼ等しいため、レンズフレーム１ｂに形成した取付孔２を外側から内側へと貫通させた孔としたが、レンズフレーム１ｂの厚さが充分厚い場合には有底の孔であっても良い。
【００２７】
また、挿入部５ａの長さが取付孔２の孔長より長い係止部材５または、先端に差込み用案内部材５ｃを形成した係止部材５を用いた場合は、装着時においては眼鏡１の内側に係止部材５の挿入部５aあるいはその先端に形成した差込用案内部材５ｃが突出する。この場合、かかる突出部を爪切りやカッター等の切断具を用いて眼鏡の内側表面に沿って切除すれば、外部に突出しないため美観を損なわず、使用時に皮膚を傷つける心配もない。
【００２８】
また、本実施の形態においては、眼鏡付属物３Ａの背面に設けた係止ピン４は係止部材５の管孔５ｂより僅かに大径としてあるため、係止ピン４を管孔５ｂに挿入すると係止ピン４は挿入部５aの弾性により管孔５ｂに堅固に係止されるとともに挿入部５aの外径は取付孔２より僅かに大径となるため、かかる挿入部５aを取付孔２に押圧挿入すると、その弾性により取付孔２の内壁に挿入部５aの外壁が付勢され、係止部材５は取付孔２に堅固に係止されるので、係止ピン４は取付孔２に堅固に係止されることになる。
【００２９】
尚、係止ピン４の外径は必ずしも管孔５ｂより大径である必要はなく、少なくとも管孔５bと同径であればよい。また、係止ピン４の先端は丸みを帯びているため、係止ピン４の管孔５ｂへの挿入は容易であるとともに管孔５ｂへ差し込む際に皮膚を傷つける心配がない。
【００３０】
本実施の形態においては、左右の眼鏡フレームの外側両端に設けられた取付孔２，２に対応した位置に、眼鏡付属物３Ａの背面において係止ピン４，４が各々設けられており、複数の離れた取付部において係止することによって強い固定力が得られ、眼鏡付属物３Ａは左右のレンズフレーム１ｂ，１ｂの上部をカバーするように眼鏡に堅固に装着される。なお、本実施の形態において、係止部材５の管孔５ｂに係止ピン４を挿入しながら取付孔２に押入れたが、係止部材５を前もって取付孔２に挿設しておき、後から管孔５ｂに係止ピン４を押入れて係止してもよい。
【００３１】
尚、本実施の形態においては取付孔２，２をレンズフレーム１ｂ，１ｂに設けたが、図６に示すように取付孔２，２を眼鏡レンズ１ｃ，１ｃに設けても同様である。特にレンズフレームを有しない眼鏡の場合においては取付孔２を眼鏡レンズ１ｃに設けることにより本発明を実施する必要性が大となるが、かかる場合においても弾性を有する係止部材５を介して係止ピン４を取付孔２に係止することで、取付孔２における眼鏡レンズ１ｃの破損を防ぐことができ、係止部材５のフランジ５ｄにより眼鏡付属物３Ａが直接眼鏡レンズ１ｃに接触しないことにより眼鏡レンズ１ｃが傷つくことを避けることが出来る。
【００３２】
また、図７に示すように取付孔２を有する取付部材７Ｂをレンズフレーム１ｂに付設すれば、フレームが細い眼鏡であっても取付孔２を有する取付部を設けることが出来る。かかる場合、眼鏡フレームが金属製であれば、金属製の取付部材を溶着すること等により係止孔２を設けることができる。尚、取付部材７Ｂはレンズフレームだけではなくブリッジやヨロイ、またはテンプル等の眼鏡フレームにも同様に接着剤による接着や溶着等により付設することもでき、更に眼鏡フレームを成形する際にフレームと一体に成形して設けることもできる。
【００３３】
図８乃至図１２は本発明の第２の実施の形態であって、取付孔２を有する取付部材７に延設された屈曲可能な取付帯７aを眼鏡のレンズフレーム１ｂに捲着することにより設けた取付部と、背面に係止ピン４を設けたバッジ状の眼鏡付属物３Ｂと、係止部材５とからなる眼鏡付属物の取付構造である。
【００３４】
取付部材７は、取付孔２を有し屈曲可能な帯状の取付帯７aがその基端に延設されている。取付部材７は耐久性、加工容易性等の点からステンレス等の金属で成型することが好ましく、取付帯７aは柔軟性、固定力の点から軟鉄板等の屈曲性を有する金属等で成型することが好ましいが、屈曲性を有する素材により取付部材７と一体に形成してもよい。３Bは眼鏡付属物であって、動物のキャラクターを表現したバッジ状の装飾体の背面に係止ピン４を１本設けた構造としている。また、取付孔２，係止ピン４，係止部材５の構造および作用は前記第１の実施の形態と同様である。
【００３５】
本実施の形態において、取付部材７をレンズフレーム１ｂに付設して眼鏡に取付部を設けるには、図１０（Ａ）に示すようにレンズ1ｃをはずした状態のレンズフレーム１ｂに、図１０（Ｂ）に示すように取付帯７aを巻き込んで屈曲させ、取付部材７をレンズフレーム１ｂの外周部に固定した後に、図１０（Ｃ）に示すようにレンズ１cを嵌入すれば、屈曲性を有する取付帯７aは、レンズフレーム１ｂを巻き込んだ状態でレンズフレーム１ｂとレンズ１ｃにより挟持されるので（図１０（Ｄ）参照）、取付部材７はレンズフレーム１ｂに堅固に付設される。
【００３６】
上記のように付設された取付部材７の取付孔２に、眼鏡付属物３Ｂの背面に設けた係止ピン４を係止部材５を介して挿入することで、眼鏡付属物３Ｂはレンズフレーム１ｂに堅固に装着される。本実施の形態においては眼鏡付属物３Bは図１１，図１２に示すように小さなバッジ状であるため、一つの取付部のみでしっかりと眼鏡に装着されるが、この一つの取付部を中心に装飾体３ｂを回転することも可能であるため、一定の模様や形状を有する眼鏡付属物の場合、上下左右の位置合わせが可能であるとともに係止する方向を色々と変えることにより、複数の異なった印象の装飾を表現することもできる。
【００３７】
図１３は本発明における第３の実施の形態を示すものであり、前記図１乃至図４に示した本発明第１の実施の形態における眼鏡用付属物３Ａを眼鏡の正面をカバーするサングラスタイプの眼鏡付属物３Ｃにしたものである。本実施の形態においても眼鏡付属物３Cの背面の左右両端に係止ピン４，４を設けて（図示せず）、図１における眼鏡１のレンズフレームの左右両端に設けた取付孔２，２に係止部材を介して挿入すれば、カバーサングラスである眼鏡付属物３Ｃは眼鏡１に堅固に装着されて、サングラスとして使用することが出来る。なお、本実施の形態における眼鏡用付属物はカバーサングラスであるが、これを偏光グラスとした場合にも同様に実施できる。
【００３８】
図１４は本発明における第４の実施の形態を示すものであって、眼鏡用付属物を鼻当てパッドとし、取付部を眼鏡のブリッジに設けた場合の眼鏡付属物の取付構造である。ブリッジ部１dに設けた２つの取付孔２，２に鼻当てパッドである眼鏡付属物３Dの正面上部に設けた２本の係止ピン４，４を、眼鏡の内側から係止部材５，５を介して挿入して係止する。
【００３９】
本実施の形態においては、ブリッジ１ｄの取付孔２，２に対し、眼鏡内側から係止ピン４，４を係止部材５，５を介して挿入すれば、鼻当てパッドである眼鏡付属物３Ｄはブリッジ１ｄに容易にしかも堅固に装着され、自己の鼻の高さに合わせた眼鏡として使用することが出来る。なお、本実施の形態に加えて眼鏡付属物がカバーサングラスである場合の実施の形態を複合して実施すること等、複数の実施の形態を複合して実施することが可能であることは言うまでもない。
【００４０】
なお、本発明における眼鏡付属物に磁石を設ければ、装飾効果等に加えて磁力線効果を任意の目的位置に安定的に固定して適用することが可能となり、肩凝りや頭痛等を効果的に改善する効果が期待できる。また香料のカプセルを保持する凹部構造或いはポケットを装飾体の背面に設け、眼鏡の外面との間にカプセルを保持する構造として、かかる保持部から香料を外部に放出する孔を設ければ、装飾体の着脱が容易であることから香料の充填・入れ替えは容易となる。したがって使用する時・場所・目的にあわせて好みの香りを楽しんだり、アロマテラピー効果等を期待することもできるようになる。例えばバニラ香料あるいはグレープフル−ツ香料等の、人体内で中性脂肪を燃焼させる蛋白質を放出させる作用を有する香料を含有・放出するカプセルを充填すれば、鼻の位置に近いことから、微量の香料で優れたダイエット効果を期待することもできる。
【００４１】
更に、本発明における眼鏡付属物を電磁波防止効果のあるトルマリン粉末や銅合金等を合成樹脂等に含有させて成型或いはコーティングすれば、かかる効果を所定の目的部分に簡易にしかも安定的に適用する事ができる。例えば、かかる効果を有する眼鏡付属物を眼鏡側部（テンプル）に装着すれば、耳に近いことから携帯電話の使用により発生する電磁波から側頭部を簡易に保護することができ、レンズフレームまたはブリッジに装着すれば、OA機器等から発生する電磁波から前頭部を効果的に保護することができる。
【００４２】
【発明の効果】
本発明である眼鏡付属物の取付構造は、上記のように眼鏡には所定の部分に取付孔を形成した取付部を設けるのみで複雑な工程を必要とせず、係止ピンをフランジを設けた係止部材を介して眼鏡の取付孔に挿入する取付構造にしたことにより、眼鏡付属物を多種類の眼鏡において好みの位置に容易に装着可能とし、装着された眼鏡付属物および係止部材を眼鏡から容易に取り外すことを可能とする効果がある。さらに係止部材の先端に差込み用案内部材を設けることにより、眼鏡付属物は一層容易に装着できる。
【００４３】
また、取付構造が表面に露出しない構造を採用したことで、眼鏡およびその付属物の有する美観を損なわず、しかも係止部材が眼鏡内側に突出しないため、眼鏡付属物の装着時の安全性を確保できる効果もある。更に、係止部材に設けたフランジにより取付部における眼鏡と眼鏡付属物の破損やガタつきを防ぐこともできる。
【００４４】
また、取付孔を設けた取付部材をフレームに付設する構造にすることでフレームの細い眼鏡にも眼鏡付属物を容易に装着できるようになり、更に取付部材に取付帯を付設することで一層容易に眼鏡付属物を装着できるようになる。
【００４５】
そして、カバーサングラスのような大きな眼鏡付属物や、任意の高さの鼻当てパッド等の眼鏡調整用付属物を複数の取付部で眼鏡に装着することで、激しい動きにも耐えうる実用性の高い眼鏡付属物の止着性能を発揮して各々の使用目的を達成させることができる。
【図面の簡単な説明】
【図１】本発明第１の実施の形態における、眼鏡付属物装着前の状態を示す正面図である。
【図２】図１の眼鏡付属物を装着した状態を示す正面図である。
【図３】図1の眼鏡付属物の眼鏡への装着方法を示す右側面図（テンプル部略）である。
【図４】図３における係止部材の拡大斜視図である。
【図５】係止部材における実施の形態の一例を示す拡大斜視図である。
【図６】取付孔を眼鏡レンズに設けた場合の正面図である。
【図７】取付孔を設けた取付部材を眼鏡フレームに付設した場合の正面図である。
【図８】本発明第２の実施の形態において、取付孔と取付帯とを設けた取付部材を示す正面図である。
【図９】図８における取付部材の左側面図である。
【図１０】図８における取付部材のレンズフレームに対する装着方法を示す切断端面図である。
【図１１】図１０における装着後の取付部材に対する眼鏡付属物の装着方法を示す切断端面図である。
【図１２】図１１における眼鏡付属物の正面図である。
【図１３】眼鏡付属物をカバーサングラスとした場合の正面図である。（係止構造は図示せず）
【図１４】眼鏡付属物を鼻あてパッドとした場合の装着前の状態を示す正面図である。
【符号の説明】
１  眼鏡、１ｂ  レンズフレーム、１ｃ  レンズ、１ｄ  ブリッジ、２  取付孔、３A，３Ｂ，３Ｃ，３Ｄ  眼鏡付属物、４  係止ピン、５  係止部材、５a 挿入部、５ｂ  管孔、５ｃ  差込み用案内部材、５ｄ  フランジ、７，７B  取付部材、７a  取付帯
【図１】
0004194792.tif 000002
【図２】
0004194792.tif 000003
【図３】
0004194792.tif 000004
【図４】
0004194792.tif 000005
【図５】
0004194792.tif 000006
【図６】
0004194792.tif 000007
【図７】
0004194792.tif 000008
【図８】
0004194792.tif 000009
【図９】
0004194792.tif 000010
【図１０】
0004194792.tif 000011
【図１１】
0004194792.tif 000012
【図１２】
0004194792.tif 000013
【図１３】
0004194792.tif 000014
【図１４】
0004194792.tif 000015